(57)【特許請求の範囲】
【請求項１】
電子機器の電子基板上に実装された、保護対象の電子部品のみを液体から保護するアタッチメントであって、
前記アタッチメントは、
前記電子基板の端部を把持し、前記電子基板に着脱可能に取付けられる取付け部と、
前記取付け部に接続され又は前記取付け部と一体的に構成された、保護対象の電子部品に向けて飛散する液体を遮断する遮蔽部とを備え、
前記遮蔽部は、遮断した液体を、前記保護対象の電子部品以外の、前記電子機器の部位へ流れるように該液体を案内する傾斜面を有する、アタッチメント。
【請求項２】
前記アタッチメントの前記遮蔽部は、前記保護対象の電子部品全体を覆うように構成される、請求項１に記載のアタッチメント。
【請求項３】
前記アタッチメントの前記遮蔽部は、前記保護対象の電子部品の上方に配置される、請求項１に記載のアタッチメント。
【請求項４】
前記アタッチメントの前記遮蔽部は、前記保護対象の電子部品の下方に配置される、請求項１に記載のアタッチメント。
【発明の詳細な説明】
【技術分野】
【０００１】
本発明は、電子部品への液体の付着を防止するアタッチメントに関し、特には、モータ駆動装置の電子基板に実装された電子部品への液体の付着を防止するアタッチメントに関する。
【背景技術】
【０００２】
従来、電子機器への水分の付着を防止する手段として種々のものが提案されている。例えば特許文献１には、壁面や窓枠等の屋内の取付け面に取付けて使用される電子機器において、該取付け面に接合する上端縁部に、水滴を誘落させる樋部を形成した防滴構造が記載されている。
【０００３】
一方、数値制御装置等に用いられる電子機器への液体の付着防止構造も提案されている。例えば特許文献２には、電子機器の筐体内部に設けられた電子基板上に実装される電子部品をファンモータで冷却する場合において、該ファンモータのハウジングに蓄積した水分や油分が液滴となって該電子部品に付着することを防止するために、ファンモータが取付けられた筐体上部の下面を傾斜面とし、液滴が該傾斜面に沿って流れるようにすることで、該液滴が電子部品に付着しないようにした筐体構造が記載されている。
【先行技術文献】
【特許文献】
【０００４】
【特許文献１】特開２００１−１８５８６６号公報
【特許文献２】特開２００７−０４８９４６号公報
【発明の概要】
【発明が解決しようとする課題】
【０００５】
特許文献１に記載の防滴構造は、壁面や窓枠等に取付けた電子機器そのものへの水滴付着を防止するものであり、該壁面や窓枠を伝わってくる水滴のみの付着防止しかできないものと解される。従って特許文献１の防滴構造では、壁面等以外の部分から飛散してくる水滴等の付着を防止することは難しい。
【０００６】
一方、特許文献２に記載の筐体構造は、ファンモータ等からの液滴から筐体内部の電子部品を保護できる点では有効であるが、筐体構造を予め、上記傾斜面等を備えた特別な形状とする必要がある。従って防滴が必要である場合とない場合とで電子機器の筐体構造を使い分ける必要があり、部品管理やコストの面で有利とは言えなかった。
【０００７】
そこで本発明は、電子機器について大幅な設計変更を行うことなく、該電子機器内の特定の電子部品に対する液体の付着を確実に防止できる機能を備えたアタッチメントを提供することを目的とする。
【課題を解決するための手段】
【０００８】
上記目的を達成するために、第１の発明は、電子機器の電子基板上に実装された電子部品を液体から保護するアタッチメントであって、前記アタッチメントは、前記電子基板に着脱可能に取付けられる取付け部と、前記取付け部に接続され又は前記取付け部と一体的に構成された、保護対象の電子部品に向かう液体を遮断する遮蔽部とを備え、前記遮蔽部は、遮断した液体を、前記保護対象の電子部品以外の、前記電子機器の部位へ流れるように該液体を案内する傾斜面を有する、アタッチメントを提供する。
【０００９】
第２の発明は、第１の発明において、前記アタッチメントの前記取付け部は、前記電子基板の端部を把持するように構成された、弾性を有するクリップ状の部材である、アタッチメントを提供する。
【００１０】
第３の発明は、第１又は第２の発明において、前記アタッチメントの前記遮蔽部は、前記保護対象の電子部品全体を覆うように構成される、アタッチメントを提供する。
【００１１】
第４の発明は、第１又は第２の発明において、前記アタッチメントの前記遮蔽部は、前記保護対象の電子部品の上方に配置される、アタッチメントを提供する。
【００１２】
第５の発明は、第１又は第２の発明において、前記アタッチメントの前記遮蔽部は、前記保護対象の電子部品の下方に配置される、アタッチメントを提供する。
【発明の効果】
【００１３】
本発明によれば、アタッチメントを電子基板に対して着脱可能としたことにより、予め筐体を防滴構造としておくような設計変更を行うことなく、所望の防滴機能を得ることができる。また液体の付着を嫌う電子部品のみを保護するようにできるので、装置の大型化も防止でき、コスト面やスペース面で有利である。さらに、該アタッチメントに腐食や損傷等が生じた場合は容易に交換することができるので、利便性も高い。
【００１４】
アタッチメントの取付け部を弾性のクリップ状部材とすることにより、電子基板に対するアタッチメントの着脱が極めて容易となる。
【００１５】
アタッチメントの遮蔽部は、保護対象の電子部品の全体、上方又は下方を保護する等、液体の飛散方向等に応じて種々の設計変更を容易に行うことができる。
【図面の簡単な説明】
【００１６】
【図１Ａ】本発明の第１の実施形態に係るアタッチメントを電子機器に適用した例を示す斜視図である。
【図１Ｂ】図１Ａの構成の側面図である。
【図２Ａ】本発明の第２の実施形態に係るアタッチメントを電子機器に適用した例を示す斜視図である。
【図２Ｂ】図２Ａの構成の側面図である。
【図３Ａ】保護対象部品を覆うカバーの一例を示す斜視図である。
【図３Ｂ】図３Ａの構成の側面図である。
【発明を実施するための形態】
【００１７】
図１Ａは、本発明の第１の実施形態に係るアタッチメントを、電子機器の電子基板に取付けた状態を示す斜視図であり、図１Ｂは、図１Ａの構成を矢印Ｂ１の方向に見た側面図である。モータ駆動装置や数値制御装置等の電子機器１０は、概略図示した筐体又は壁部１２と、筐体又は壁部の内側に設けられた電子基板１４と、電子基板１４上に実装された少なくとも１つの電子部品とを有し、ここでは電子部品１６が、切削油や切削液等の液体が付着しないように保護されるべき保護対象であるとする。なお本願明細書における「液体」には、使用済みの切削油等のように、切屑や粉塵等の固体を含んだ液状物質も含まれるものとする。
【００１８】
電子基板１４は、電子基板１４に対して着脱可能に構成されたアタッチメント２０を有する。具体的には、アタッチメント２０は、電子基板１４の端部（図示例では上端部）に取付け可能な取付け部２２と、取付け部２２に接続され又は取付け部２２と一体的に構成された遮蔽部２４とを有する。取付け部２２は、ある程度の弾性を有するクリップ状の部材であり、電子基板１４の端部を把持してアタッチメント１８を所定の位置に保持できるようになっている。なお図示例の取付け部２２はクリップ状の部材であるが、ネジや、接着強度が比較的小さい接着剤を代替的に用いてもよい。
【００１９】
遮蔽部２４は、傾斜面２６を有し、アタッチメント２０が所定位置に保持された際に、傾斜面２６が電子部品１６を、電子部品１６に向かう飛沫や液滴等の液体が電子部品１６に付着しないように遮蔽するように構成されている。図１Ａ及び図１Ｂの例では、液滴が電子部品１６の上方から滴下する場合や、ファンモータ（図示せず）等の液体を飛散させる装置が電子部品１６の上方に配置されている場合を想定しており、そのような場合、飛沫や液滴は電子部品１６の上方に位置する遮蔽部２４（傾斜面２６）によって遮断されて電子部品１６には到達せず、傾斜面２６を伝って、保護対象以外の、濡れても支障がない電子機器の部位（図示例では壁部１２の内表面）に案内される。すなわち本実施形態では、傾斜面２６は液体の遮蔽する機能とともに、該液体を他の部位へ流す流路としての機能も具備する。
【００２０】
図２Ａは、本発明の第２の実施形態に係るアタッチメントを、電子機器の電子基板に取付けた状態を示す斜視図であり、図２Ｂは、図２Ａの構成を矢印Ｂ２の方向に見た側面図である。第１の実施形態と同様、モータ駆動装置や数値制御装置等の電子機器１０は、概略図示した筐体又は壁部１２と、筐体又は壁部の内側に設けられた電子基板１４と、電子基板１４上に実装された少なくとも１つの電子部品とを有し、ここでは電子部品１６が、切削油や切削液等の液体が付着しないように保護されるべき保護対象であるとする。
【００２１】
電子基板１４は、電子基板１４に対して着脱可能に構成されたアタッチメント３０を有する。具体的には、アタッチメント３０は、電子基板１４の端部（図示例では上端部）に取付け可能な取付け部３２と、取付け部３２に接続され又は取付け部３２と一体的に構成された遮蔽部３４とを有する。取付け部３２は、ある程度の弾性を有するクリップ状の部材であり、電子基板１４の端部を把持してアタッチメント３０を所定の位置に保持できるようになっている。なお図示例の取付け部３２はクリップ状の部材であるが、ネジや、接着強度が比較的小さい接着剤を代替的に用いてもよい。
【００２２】
遮蔽部３４は、傾斜面３６を有し、アタッチメント３０が所定位置に保持された際に、傾斜面３６が電子部品１６を、電子部品１６に向かう飛沫や液滴等の液体が電子部品１６に付着しないように遮蔽するように構成されている。図２Ａ及び図２Ｂの例では、ファンモータ（図示せず）等の液体を飛散させる装置が電子部品１６の下方に配置されている場合を想定しており、そのような場合、飛沫や液滴は電子部品１６の下方に位置する遮蔽部３４（傾斜面３６）によって遮断されて電子部品１６には到達せず、傾斜面３６を伝って、保護対象以外の、濡れても支障がない電子機器の部位（図示例では電子機器１０の筐体１２の底部）に案内される。すなわち本実施形態では、傾斜面３６は液体の遮蔽する機能とともに、該液体を他の部位へ流す流路としての機能も具備する。
【００２３】
図３Ａは、本発明の第３の実施形態に係るアタッチメントを、電子機器の電子基板に取付けた状態を示す斜視図であり、図３Ｂは、図３Ａの構成を矢印Ｂ３の方向に見た側面図である。第１及び第２の実施形態と同様、モータ駆動装置や数値制御装置等の電子機器１０は、概略図示した筐体又は壁部１２と、筐体又は壁部の内側に設けられた電子基板１４と、電子基板１４上に実装された少なくとも１つの電子部品とを有し、ここでは電子部品１６が、切削油や切削液等の液体が付着しないように保護されるべき保護対象であるとする。
【００２４】
電子基板１４は、電子基板１４に対して着脱可能に構成されたアタッチメント４０を有する。具体的には、アタッチメント４０は、電子基板１４の端部（図示例では上端部）に取付け可能な取付け部４２と、取付け部４２に接続され又は取付け部４２と一体的に構成された遮蔽部４４とを有する。図３Ｂに示すように、取付け部４２は、ある程度の弾性を有するクリップ状の部材であり、電子基板１４の端部を把持してアタッチメント４０を所定の位置に保持できるようになっている。なお図示例の取付け部４２はクリップ状の部材であるが、ネジや、接着強度が比較的小さい接着剤を代替的に用いてもよい。
【００２５】
遮蔽部４４は、アタッチメント４０が所定位置に保持された際に、電子部品１６に向かう飛沫や液滴等の液体が電子部品１６に付着しないように、保護対象の電子部品１６全体を覆うように構成されている。従って、図示しないファンモータ等からの飛沫や液滴がどの方向から電子部品１６に向かっても、飛沫や液滴は遮蔽部４４によって遮断される。
【００２６】
また遮蔽部４４は、その上面に傾斜面４６を有し、電子部品１６の上方から電子部品１６に向かう飛沫や液滴は、傾斜面４６及びそれに隣接する水平面によって遮断されて電子部品１６には到達せず、傾斜面４６を伝って、保護対象以外の、濡れても支障がない電子機器の部位（図示例では壁部１２の内表面）に案内される。また電子部品１６の側方や下方から電子部品１６に向かう飛沫や液滴も、電子部品１６全体を覆う遮蔽部によって遮断され、保護対象以外の、濡れても支障がない部位（図示例では電子機器１０の筐体１２の底部）に案内される（又は落下する）。このとき、アタッチメント４０の上部に、壁部１２に所定面積にわたって当接する部材（図示例では傾斜面４６の筐体側端部から下方に延びる帯状の部材）４８を設けておくことが好ましい。部材４８は、傾斜面４６を伝った液体を壁部１２に沿って下方へ好適に誘導する液体誘導部として作用する。
【符号の説明】
【００２７】
１０    電子機器
１２    筐体
１４    電子基板
１６    電子部品
２０、３０、４０    アタッチメント
２２、３２、４２    取付け部
２４、３４、４４    遮蔽部
２６、３６、４６    傾斜面
４８    液体誘導部
【図１Ａ】
0005563629.tif 000002
【図１Ｂ】
0005563629.tif 000003
【図２Ａ】
0005563629.tif 000004
【図２Ｂ】
0005563629.tif 000005
【図３Ａ】
0005563629.tif 000006
【図３Ｂ】
0005563629.tif 000007